(57)【特許請求の範囲】
【請求項１】
農産物を収穫する収穫機の、収穫されて調製された農産物が排出される位置に設けられる結束装置であって、
上記結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備え、
上記結束紐は、結束紐配置間隔内に設けられた結束紐保持具に保持された状態で上下に多数個重設可能であり、該結束紐保持具から結束紐を上方に向け１個ずつ取出して農産物を結束するようにしたことを特徴とする収穫機の結束装置。
【請求項２】
上記結束紐保持具を、結束紐配置間隔内において前後方向に移動可能とし、結束紐による農産物の結束位置を調節可能にしたことを特徴とする請求項１記載の収穫機の結束装置。
【請求項３】
上記台板の結束紐が横断する位置に、結束紐が入り込む穴を形成したことを特徴とする請求項１又は２記載の収穫機の結束装置。
【請求項４】
上記結束装置は、所定方向を向いて横姿勢で排出される農産物に対し、側方に所定角度傾斜して設置されることを特徴とする請求項１，２，３記載の収穫機の結束装置。
【発明の詳細な説明】
【０００１】
【発明の属する技術分野】
本発明は、農産物を収穫する収穫機の、収穫されて調製された農産物が排出される位置に設けられ、農産物を連続して効率よく結束することができる結束装置に関する。
【０００２】
【従来の技術】
近年、各種の農産物収穫機の開発が進められ、例えば、圃場に植生しているねぎ類を掘り取り、この掘り取られたねぎ類を搬送する過程で根部を切断し、必要に応じて葉部を切断し、調製されたねぎ類を収容台に排出して貯溜するようにしたねぎ類収穫機が提案されている。そして、収容台に貯溜されたねぎ類は、圃場において１本ずつ取出した結束紐により人力によって結束されている。
【０００３】
【発明が解決しようとする課題】
上記先行技術のねぎ類収穫機においては、圃場に畝状に栽植されているねぎ類を掘り取り、これを搬送しながら調製し、調製されたねぎ類を収容台に貯溜する一連の収穫作業を、連続的に行うことが可能になった。しかし、収容台に貯溜されたねぎ類を、圃場において１本ずつ取出した結束紐により人力によって結束しているので、非能率的であった。
【０００４】
そこで本発明は、上記先行技術のねぎ類収穫機ばかりでなく、コボウ収穫機や葉菜類収穫機等にも適用できて、それぞれの収穫機の、収穫されて調製された農産物が排出される位置に設けられ、調製されて排出された農産物を適量ずつ連続して効率よく結束することができるようにした収穫機の結束装置を提供することを目的とする。
【０００５】
【課題を解決するための手段】
この目的を達成するために本発明による収穫機の結束装置は、以下のような構成を有することを特徴としている。
【０００６】
Ａ．農産物を収穫する収穫機の、収穫されて調製された農産物が排出される位置に設けられる結束装置であって、上記結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備え、上記結束紐は、結束紐配置間隔内に設けられた結束紐保持具に保持された状態で上下に多数個重設可能であり、該結束紐保持具から結束紐を上方に向け１個ずつ取出して農産物を結束するようにした。
【０００８】
Ｂ．上記結束紐保持具を、結束紐配置間隔内において前後方向に移動可能とし、結束紐による農産物の結束位置を調節可能にした。
【０００９】
Ｃ．上記台板の結束紐が横断する位置に、結束紐が入り込む穴を形成した。
【００１０】
Ｄ．上記結束装置は、所定方向を向いて横姿勢で排出される農産物に対し、側方に所定角度傾斜して設置される。
【００１１】
【作用】
このような構成により本発明の収穫機の結束装置では、以下の作用を行う。
【００１２】
（１）．結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備え、結束紐は、結束紐配置間隔内に設けられた結束紐保持具に保持された状態で上下に多数個重設可能であり、該結束紐保持具から結束紐を上方に向け１個ずつ取出して農産物を結束することで、収穫機から排出される農産物は、結束紐により適量ずつまとめた状態で連続的に結束されて機外に搬出することが可能となる。
【００１４】
（２）．結束紐保持具を、結束紐配置間隔内において前後方向に移動可能とし、結束紐による農産物の結束位置を調節可能にしたことで、結束しようとする農産物の長さに応じて結束紐保持具を移動調節し、農産物は最適結束位置において結束される。
【００１５】
（３）．台板の結束紐が横断する位置に、結束紐が入り込む穴を形成したことで、収穫機から排出される農産物が台板上に排出されて堆積する際に、多数の結束紐は穴に入り込んだ状態でその上に農産物が堆積されるので、結束紐が農産物堆積の邪魔になることがない。
【００１６】
（４）．結束装置は、所定方向を向いて横姿勢で排出される農産物に対し、側方に所定角度傾斜して設置されることで、収穫機から排出される農産物が結束装置の台板上にスムーズに堆積され、結束紐による結束作業がやりやすくなる。
【００１７】
【発明の実施の形態】
以下、本発明の一実施形態を添付の図面を参照して具体的に説明する。
図２において、符号１は自走式のねぎ類収穫機で、このねぎ類収穫機１は、圃場に植生しているねぎ類を掘り取り、この掘り取られたねぎ類を搬送する過程でヒゲ根を切断し、必要に応じて葉部を切断し、このようにして調製されたねぎ類Ａを、排出部２を介して根部を所定方向に向け横姿勢で排出する機能を有している。この排出部２からねぎ類Ａが排出される位置に、本発明に係る結束装置３が傾斜して設けられている。
【００１８】
上記結束装置３は、図１に示すように、ねぎ類収穫機１の排出部２から排出されるねぎ類Ａを一定方向で受ける台板４と、この台板４の前端側に立設され、ねぎ類Ａの株側と対向する前板５と、上記台板４の左右両側部に立設され、結束紐配置間隔６を有する前後２個ずつの側板７と、該結束紐配置間隔６に上記台板４を横断するようにして配設される多数の合成樹脂テープからなる結束紐８とを備えている。上記前板５及び側板７はその上縁部を、排出部２から排出されるねぎ類Ａが台板４上に入りやすいように外側に向け弯曲している。
【００１９】
上記結束紐８は、図３にも示すように、結束紐配置間隔６内に設けられた棒状の結束紐保持具９に挿通される保持具としての鳩目状の保持金具８ａ，８ａを設け、この保持金具８ａの外側を結束代８ｂとしている。そして、結束紐８は保持金具８ａを結束紐保持具９に挿通して保持された状態で、上下に多数個重設可能であり、該結束紐保持具９から結束紐８を上方に向け１個ずつ取出してねぎ類Ａを結束するようにしている。この結束紐８によるねぎ類Ａの結束状態を図４に示している。なお、結束紐保持具９の上端部は、結束紐８の保持金具８ａを結束紐保持具９から上方に抜き取ってねぎ類Ａを結束するときに、抜き取りやすいように内側に弯曲している。
【００２０】
上記結束紐保持具９は、結束紐配置間隔６内において前後方向に移動可能に台板４に支持されており（図示せず）、結束紐８によるねぎ類Ａの結束位置を調節可能にしている。また、図５に示すように、結束紐保持具１０を側面視Ｕ字状に形成して、この中に結束紐８を多数枚上下に積み重ねるようにして保持させてもよいものである。この結束紐保持具１０も、結束紐配置間隔６内において前後方向に移動可能に台板４に支持される。この場合、結束紐８には上記保持金具８ａに相当する保持金具は必要としない。さらに、図６に示すように、結束紐保持具１１を相対向する２本の棒状体により形成し、結束紐１２に結束紐保持具１１，１１間に嵌挿される保持金具１２ａを設けてもよいものである。この結束紐保持具１１，１１も、結束紐配置間隔６内において前後方向に移動可能に台板４に支持される。保持金具１２ａの外側は結束代１２ｂとなっている。
【００２１】
上記台板４の結束紐８，１２が横断する位置に、結束紐８，１２が入り込む穴４ａが形成されている。そして、この穴４ａ内に、結束紐保持具９，１０，１１に保持された結束紐８，１２の中間部が入り込んで、ねぎ類収穫機１の排出部２から排出されるねぎ類Ａが台板４上に排出されて堆積する際に、多数の結束紐８，１２が穴４ａに入り込み、その上にねぎ類Ａが堆積されるので、結束紐８，１２が多数個あるにも関わらずねぎ類Ａの堆積の邪魔になることがない。
【００２２】
上記結束装置３は、ねぎ類収穫機１の排出部２から所定方向を向いて横姿勢で排出されるねぎ類Ａに対し、後部が下降するように側方にθ度傾斜して設置されている。この結束装置３の傾斜により、ねぎ類収穫機１の排出部２から排出されるねぎ類Ａが結束装置３の台板４上にスムーズに堆積されることになり、結束紐８，１２による結束作業がやりやすくなる。
【００２３】
本発明の結束装置３は、ねぎ類収穫機１に限らず、例えばコボウ収穫機や葉菜類収穫機等の調製されて排出される農産物を結束する必要のある場合に、広く適用できるものである。また、収穫機から取り外した状態で、結束専用機としても使用できるものである。
【００２４】
【発明の効果】
以上説明したように本発明の収穫機の結束装置によれば、以下の効果を奏することができる。
【００２５】
（１）．結束装置は、収穫機から排出される農産物を一定方向で受ける台板と、この台板に立設され、農産物の株側と対向する板と、上記台板の左右両側部に立設され、結束紐配置間隔を有する前後複数の側板と、該結束紐配置間隔に上記台板を横断するようにして配設される多数の結束紐とを備え、上記結束紐は、結束紐配置間隔内に設けられた結束紐保持具に保持された状態で上下に多数個重設可能であり、該結束紐保持具から結束紐を上方に向け１個ずつ取出して農産物を結束するので、収穫機から調製されて排出される農産物は、適量ずつまとめて結束紐により連続的に結束することができる。そして、農産物を結束した状態で機外に搬出することができる。
【００２７】
（２）．結束紐保持具を、結束紐配置間隔内において前後方向に移動可能とし、結束紐による農産物の結束位置を調節可能にしたので、結束しようとする農産物の長さに応じて結束紐保持具を移動調節し、農産物を最適結束位置において結束することができる。
【００２８】
（３）．台板の結束紐が横断する位置に、結束紐が入り込む穴を形成したので、収穫機から排出される農産物が台板上に排出されて堆積する際に、多数の結束紐は穴に入り込んだ状態でその上に農産物が堆積されるので、結束紐が多数個あるにも関わらず台板の穴に入り込み、農産物を堆積するのに邪魔になることがない。
【００２９】
（４）．結束装置は、所定方向を向いて横姿勢で排出される農産物に対し、側方に所定角度傾斜して設置されるので、収穫機から排出される農産物が結束装置の台板上にスムーズに堆積されることになり、結束作業がやりやすくなる。
【図面の簡単な説明】
【図１】本発明による結束装置の斜視図である。
【図２】本発明による結束装置をねぎ類収穫機に装着した状態の概略側面図である。
【図３】結束紐の平面図である。
【図４】結束紐により農産物を結束した状態の正面図である。
【図５】結束紐及び結束紐保持具の第２実施例の正面図（ａ）及び結束紐保持具の側面図（ｂ）である。
【図６】結束紐及び結束紐保持具の第３実施例の部分平面図である。
【符号の説明】
１  ねぎ類収穫機
２  排出部
３  結束装置
４  台板  ４ａ  結束紐が入る穴
５  前板（板）
６  結束紐配置間隔
７  側板
８，１２  結束紐  ８ａ，１２ａ  保持金具  ８ｂ，１
２ｂ  結束代
９，１０，１１  結束紐保持具
Ａ  調製されたねぎ類
θ  結束装置の傾斜角度
【図１】
0003928896.tif 000002
【図２】
0003928896.tif 000003
【図３】
0003928896.tif 000004
【図４】
0003928896.tif 000005
【図５】
0003928896.tif 000006
【図６】
0003928896.tif 000007